(57)【要約】【課題】  並列に二次電池が接続されている場合に、各二次電池の電池残量を正確に検出できる二次電池残量検出装置を提供する。【解決手段】  負荷２に電源電圧を供給する二次電池Ｅ1 、Ｅ2 を、それぞれ過電流保護抵抗Ｒ1 、Ｒ2 と直列接続し、その直列回路をＤＣ−ＤＣコンバータ１、負荷２の直列回路に並列接続している。過電流保護抵抗Ｒ1 と二次電池Ｅ1 の接続点ｃに過電流保護抵抗Ｒ3 を接続し、過電流保護抵抗Ｒ2 と二次電圧Ｅ2 の接続点ｄに過電流保護抵抗Ｒ4 を接続し、これら過電流保護抵抗Ｒ3 、Ｒ4 を介して、二次電池Ｅ1 、Ｅ2 の充電量を検出する。【選択図】      図１
2005321201.tif 000002
【特許請求の範囲】
【請求項１】
二次電池と第１の過電流保護抵抗器とを直列に接続し、直列回路内の所定の点の電圧を検出し、検出した電圧に基づいて二次電池の残量を検出する二次電池残量検出装置において、
負荷への回路に挿入する前記第１の過電流保護抵抗器とは別に、所定の点より電圧を検出するための接続回路上に第２の過電流保護抵抗器を設けたことを特徴とする二次電池残量検出装置。
【請求項２】
前記二次電池は少なくとも２以上並列に接続されており、それぞれに第１の過電流保護抵抗器が直列に接続されており、各二次電池について所定の電圧を検出することを特徴とする請求項１記載の二次電池残量検出装置。
【発明の詳細な説明】
【技術分野】
【０００１】
この発明は、電源回路の二次電池残量検出装置に関する。
【背景技術】
【０００２】
電子機器用の電源回路に使用される二次電池を含む電源回路として、図２に示例示する回路がある。図２に示す電源回路は、＋Ｖ電源とアース電源間に接続される抵抗Ｒ0 とツェナダイオードＺＤの直列回路と、この抵抗Ｒ0 とツェナダイオードＺＤの接続点ａとアース間に接続される逆流防止ダイオードＤと負荷２の直列回路と、この逆流防止ダイオードＤと負荷２との接続点ｂとアース間に接続される過電流保護抵抗Ｒ’1 と二次電池Ｅの直列回路とから構成される。
【０００３】
この電源回路では、充電時に＋Ｖ電源より充電電圧が印加され、抵抗Ｒ0 、ダイオードＤ、過電流保護抵抗Ｒ’1 を通して二次電池Ｅに充電電流が流れる。また、二次電池Ｅより過電流保護抵抗Ｒ’1 、ＤＣ−ＤＣコンバータ１を介して、負荷２に電力が供給される。
【０００４】
この種の電源回路において、過電流保護抵抗Ｒ’1 は負荷２の短絡等による大電流から二次電池Ｅを保護するために設けられている。また、この種の電源回路において、二次電池Ｅの充電量を検出するために、この過電流保護抵抗Ｒ’1 と直列回路の所定の点での電圧を検出しているものが開示されている（例えば、特許文献１参照）。
【特許文献１】特開平６−２０７２３号公報
【発明の開示】
【発明が解決しようとする課題】
【０００５】
上記した従来の電源回路においては、負荷に流れる電流が変化することにより、ｂ点の電圧Ｖ0 が変動するため、正確に充電量に応じた二次電池の電圧を測定できないという問題がある。
【０００６】
この発明は上記問題点に着目してなされたものであって、二次電池の充電量を正確に検出できる二次電池残量検出装置を提供することを目的としている。
【課題を解決するための手段】
【０００７】
この発明の二次電池残量検出装置は、二次電池と第１の過電流保護抵抗器とを直列に接続し、直列回路内の所定の点の電圧を検出し、検出した電圧に基づいて二次電池の残量を検出する二次電池残量検出装置において、負荷への回路に挿入する前記第１の過電流保護抵抗器とは別に、所定の点より電圧を検出するための接続回路上に第２の過電流保護抵抗器を設けている。
【０００８】
この発明において、前記二次電池は少なくとも２以上並列に接続されており、それぞれに過電流保護抵抗器が直列に接続されており、各二次電池について所定の電圧を検出することもできる。
【発明の効果】
【０００９】
この発明によれば、二次電池が並列接続されている場合でも、それぞれの充電量を正確に把握できるとともに、負荷の変動による影響も１／ｎ（ｎ＝２、３、４……、ｎは並列接続数）になり、充電量の検出をより正確に行うことができる。
【発明を実施するための最良の形態】
【００１０】
以下、実施の形態により、この発明を更に詳細に説明する。図１は、この発明の一実施形態である二次電池残量検出装置の構成を示す回路図である。この実施形態回路は、電源＋Ｖとアース間に、抵抗Ｒ0 とツェナダイオードＺＤが直列に接続されて設けられている。この抵抗Ｒ0 とツェナダイオードＺＤの接続点ａとアース間に、ツェナダイオードＺＤに対して並列に、逆流防止ダイオードＤとＤＣ−ＤＣコンバータ１と負荷２の直列回路が接続されている。
【００１１】
また、逆流防止ダイオードＤと負荷２の接続点ｂとアース間に、負荷２に並列に、過電流保護抵抗Ｒ1 と二次電池Ｅ1 の直列回路と、過電流保護抵抗Ｒ2 と二次電池Ｅ2 の直列回路とが接続されている。過電流保護抵抗Ｒ1 と二次電池Ｅ1 の接続点ｃに過電流保護用の抵抗Ｒ3 の一端が接続され、過電流保護抵抗Ｒ3 の他端がオペアンプ２の入力端に接続されている。オペアンプ３の出力がＡ／Ｄ変換器５の入力端に接続され、Ａ／Ｄ変換器５の出力がＣＰＵに取り込まれる。
【００１２】
また、過電流保護抵抗Ｒ2 と二次電池Ｅ2 の接続点ｄに、過電流保護抵抗Ｒ4 の一端が接続され、過電流保護抵抗Ｒ4 の他端がオペアンプ４の入力端に接続されている。オペアンプ４の出力がＡ／Ｄ変換器６の入力端に接続され、Ａ／Ｄ変換器６の出力がＣＰＵに取り込まれる。
【００１３】
この実施形態回路において、充電時は＋Ｖ電源より充電電圧が印加され、抵抗Ｒ0 、ダイオードＤ及び各過電流保護抵抗Ｒ1 、Ｒ2 を通して、各二次電池Ｅ1 、Ｅ2 に充電電流が流れる。この場合、接続点ａの電圧が、ツェナダイオードＺＤにより定電圧に保たれる。＋Ｖ電源が供給されないとき、二次電池Ｅ1 、Ｅ2 より負荷２に電力を供給する。二次電池Ｅ1 、Ｅ2 より各過電流保護抵抗Ｒ1 、Ｒ2 を介して、ＤＣ−ＤＣコンバータ１に加えられ、昇圧されて負荷２に電源供給される。
【００１４】
二次電池Ｅ1 の残量電圧は、過電流保護抵抗Ｒ3 、オペアンプ３を介して検出され、Ａ／Ｄ変換器５でデジタル値に変換されて、ＣＰＵに取り込まれる。二次電池Ｅ2 の残量電圧も同様に、過電流保護抵抗Ｒ4 、オペアンプ４を介して検出され、Ａ／Ｄ変換器６でデジタル値に変換されて、ＣＰＵに取り込まれる。
【００１５】
負荷２への電流により、過電流保護抵抗Ｒ1 、Ｒ2 で電圧降下が発生するが、電圧検出回路への電流は無視できるくらい小さいため、過電流保護抵抗Ｒ3 、Ｒ4 での電圧降下も無視できるくらい小さい。このため、二次電池Ｅ1 、Ｅ2 の残量電圧を正確に検出することが可能となる。
【００１６】
また、並列に接続されている二次電圧Ｅ1 、Ｅ2 は、それぞれ過電流保護抵抗Ｒ3 、Ｒ4 で個別に残量を検出しているので、二次電池Ｅ1 、Ｅ2 の充電量を正確に把握できる。
【００１７】
なお、上記実施形態において、並列接続する二次電池はＥ1 、Ｅ2 の２個の場合について説明したが、この発明では、３個以上、一般的にはｎ個の二次電池を並列接続することができる。
【００１８】
また、上記図１の実施形態において、各過電流保護抵抗に対して、オペアンプ、Ａ／Ｄ変換器もそれぞれ１組設けているが、オペアンプ、Ａ／Ｄ変換器は複数の過電流保護抵抗に対し１組とし、オペアンプ入力をマルチプレクサで切替入力するようにしても良い。
【図面の簡単な説明】
【００１９】
【図１】この発明の一実施形態である二次電池残量検出装置の構成を示す回路図である。
【図２】従来の二次電池残量検出装置の一例を示す回路図である。
【符号の説明】
【００２０】
Ｒ1 、Ｒ2   過電流保護抵抗（第１）
Ｅ1 、Ｅ2   二次電池
Ｒ3 、Ｒ4   過電流保護抵抗（第２）
Ｄ          ダイオード
１          ＤＣ−ＤＣコンバータ
２          負荷
３、４      オペアンプ
５、６      Ａ／Ｄ変換器
【図１】
2005321201.tif 000003
【図２】
2005321201.tif 000004